(57)【要約】      （修正有）【課題】従来製品よりも、素早くかつ確実に動物を包み込んだ状態とすることが可能な動物用タオルを提供する。【解決手段】可撓性および吸水性を備える本体部１０を、動物の収容空間を形成する、袋状、箱状または筒状とすることで、水に濡れた動物を素早くかつ確実に包み込むことができる。また、本体部１０の収容空間と外部とを連通する開口部１１に閉塞部２０を設けることで、動物を素早くかつ完全に本体部１０で包み込むことができる。【選択図】図１
0003220750.tif 000002
【実用新案登録請求の範囲】
【請求項１】
可撓性及び吸水性を備え、動物の収容空間を形成する本体部を少なくとも有することを特徴とする、
動物用タオル。
【請求項２】
前記本体部が、開口部を上方に有する袋状を呈していることを特徴とする、
請求項１に記載の動物用タオル。
【請求項３】
前記本体部に、予め区画された底部を設けてあることを特徴とする、
請求項１または２に記載の動物用タオル。
【請求項４】
前記本体部が、開口部を上下に有する筒状を呈していることを特徴とする、
請求項１に記載の動物用タオル。
【請求項５】
前記開口部を閉塞するための閉塞部を更に有することを特徴とする、
請求項１乃至４のうち何れか１項に記載の動物用タオル。
【請求項６】
前記閉塞部が、本体部に形成した巾着型の絞り紐であることを特徴とする、
請求項５に記載の動物用タオル。
【請求項７】
前記本体部に、窓部を設けてあることを特徴とする、
請求項１乃至６のうち何れか１項に記載の動物用タオル。
【請求項８】
前記本体部の一部または全部を、マイクロファイバーで構成してあることを特徴とする、
請求項１乃至７のうち何れか１項に記載の動物用タオル。
【考案の詳細な説明】
【技術分野】
【０００１】
本考案は、動物用タオルに関し、より詳しくは、水に濡れた動物が身体を震わせて振り払った水の飛散を防止するための動物用タオルに関する。
【背景技術】
【０００２】
入浴、洗浄、水遊びなどによって濡れた動物の拭き取り作業は、飼い主にとって負担の大きい作業である。
まず、動物は、濡れた直後から身体を震わせ水を振り払おうとするため、周囲に水が飛散して飼い主や周りの床・壁が濡れてしまうことがしばしばである。
また、通常のタオルを使って拭き取ろうとしても、動物がじっとしていられずその場から逃げ出すこともあり、拭き取り作業が難航することも多い。
【０００３】
拭き取り作業に用いる動物用のタオルとして、例えば以下の特許文献に記載のものがある。
特許文献１に記載の動物用タオルは、マイクロファイバーからなる起毛部を備えつつ、タオル本体にベルト部を設け、当該ベルト部に片手を挿入した状態で、動物が動くのを押さえながら水分を拭き取ることで、拭き取り作業を容易にすることを期待したものである。
特許文献２に記載の脱水用タオルは、タオルの端部に少なくとも一対の面ファスナーを固着したものであり、ペット動物の腹にタオルを敷いた状態から面ファスナーを結着させてタオルをペット動物の腹から背にかけて固定した状態で拭き取り作業を行うことで、作業時間の短縮化を期待したものである。
【先行技術文献】
【特許文献】
【０００４】
【特許文献１】実用新案登録第３１６４８９６号公報
【特許文献２】実開平６−３４５９２号公報
【考案の概要】
【考案が解決しようとする課題】
【０００５】
しかし、上記従来のタオルは、以下に記載する課題のうち、何れか１つの課題を有している。
（１）特許文献１に記載の動物用タオルでは拭き取り作業中に動物が身体を震わせてしまうと、水の飛散を抑えることはできない。
（２）特許文献２に記載の脱水用タオルを、動物の大きさよりもかなり大きなものとすれば、動物を包み込んだ状態にすることで水の飛散を防止することができる余地は残っているが、このタオルを袋のように綴じるには、面ファスナーによる結着作業を複数回行う必要があり、素早く動物を包み込むためには未だ改善の余地が残されている。
【０００６】
そこで、本考案は、従来製品よりも、素早くかつ確実に動物を包み込んだ状態とすることが可能な手段の提供を目的とするものである。
【課題を解決するための手段】
【０００７】
本考案に係る動物用タオルは、可撓性及び吸水性を備え、動物の収容空間を形成する本体部を少なくとも有することを特徴とする。
また、前記本体部を、開口部を上方に有する袋状とすることができる。
また、前記本体部に、予め区画された底部を設けておくことができる。
また、前記本体部を、開口部を上下に有する筒状とすることができる。
また、前記開口部を閉塞するための閉塞部を更に設けても良い。
また、前記閉塞部が、本体部に形成した巾着型の絞り紐で構成してもよい。
また、前記本体部に、窓部を設けてもよい。
また、前記本体部の一部または全部を、マイクロファイバーで構成してもよい。
【考案の効果】
【０００８】
本考案によれば、以下に記載する効果のうち、少なくとも何れか１つの効果を奏する。
（１）可撓性及び吸水性を備える本体部に、動物の収容空間を形成し、使用時には上下方向に縮めておいた本体部に、水に濡れた動物を招き入れまたは運び入れてから、本体部の上縁を引き上げて上下方向に伸ばすことで、動物を素早くかつ確実に包み込むことができる。
したがって、その後に動物の水の振り払い動作があっても、本体部でもって水の飛散を抑制することができる。
（２）本体部の開口部に閉塞部を設けることで、動物の上方空間も閉塞し、動物を完全に本体部で包み込むことができる。
（３）閉塞部を巾着型の両絞り紐で構成することで、素早く開口部を閉塞することができる。
（４）本体部に、予め区画された底部を設けておくことで、該底部を、動物を招き入れまたは運び入れる際の目印とすることができる。また、動物の脚が底部に付いていれば、本体部の展開動作によって動物の脚が持ち上げられることもないため動物が驚くことも少なくなる。
（５）本体部に、窓部を設けておくことで、暗闇が苦手な動物や、周りが本体部によって覆われて飼い主が見えないこと等で不安を感じた動物に安心感を与えることができる。
（６）本体部の一部または全部をマイクロファイバーで構成することで、吸水性および乾燥性に優れたタオルとすることができる。
【図面の簡単な説明】
【０００９】
【図１】実施例１に係る動物用タオルの概略図。
【図２】実施例１に係る動物用タオルの使用イメージ図。
【図３】実施例２に係る動物用タオルの概略図。
【図４】実施例３に係る動物用タオルの概略図。
【図５】実施例４に係る動物用タオルの概略図。
【考案を実施するための形態】
【００１０】
本考案に係る動物用タオルは、可撓性および吸水性を備える本体部を、動物の収容空間が予め形成されている形状とすることで、水に濡れた動物を素早くかつ確実に包み込むことができる。
また、本体部の収容空間と外部とを連通する開口部に閉塞部を設けることで、動物を素早くかつ完全に本体部で包み込むことができる。
以下、図面を参照しながら、本考案の実施例について説明する。
【実施例１】
【００１１】
＜１＞全体構成
図１に、実施例１に係る動物用タオルの概略図を示す。
本実施例に係る動物用タオルＡ（以下、単に「タオルＡ」ともいう。）は、本体部１０および閉塞部２０を有している。
【００１２】
＜２＞本体部
本体部１０は、動物を包み込むための部材である。
本体部１０は可撓性および吸水性を備えた素材で構成する。
【００１３】
＜２．１＞本体部の形状
本体部１０は、動物を収容可能な程度の大きさを備えた収容空間を予め形成している。本体部の形状には、袋状、箱状、筒状などが含まれる。
本実施例では、本体部１０が上方に開口部１１を設けた袋状を呈している。
【００１４】
＜２．２＞本体部の素材
本体部１０の素材は、タオル地として用いる公知の素材から任意に選択することができる。その中でも、マイクロファイバーと呼ばれる極細のナイロンやポリエステル製の合成繊維からなる素材は、吸水性や通気性に優れる点で本考案の用途に好適である。
【００１５】
＜３＞閉塞部
閉塞部２０は、本体部１０の開口部１１を閉塞するための部材である。
閉塞部２０は、絞り紐、面ファスナー、ファスナー、ボタンなど、公知の手段を用いることができる。
本実施例では、閉塞部２０に、両側から紐を引っ張って本体部１０を巾着袋のように閉塞する、両絞り紐を用いている。
【００１６】
＜４＞使用方法
図２に、本実施例に係る動物用タオルの使用イメージの一例を示す。
まず、浴槽などの洗い場Ｂの出入口に、本考案に係るタオルＡを事前に設置しておく。本体部１０は可撓性を備えているため、開口部１１が開いた状態となるようにタオルＡの形を整えておく（図２（ａ））。
洗い場Ｂで動物を洗ったあとは、飼い主が動物を運び入れたり、タオルＡの上にお菓子をおいて動物を誘導したりして、本体部１０の中に動物を案内する。
その後直ちに、本体部１０の上縁を引き上げ、閉塞部２０を構成する紐を両側から引っ張って開口部１１を閉塞することで、動物の周囲を本体部１０によって包み込む（図２（ｂ））。
本体部１０で動物を包み込んだ後は、動物が身体を震わせて水を振り払ったとしても本体部１０が壁となるため、水の飛散を抑制できる。
【００１７】
なお、動物が完全に本体部１０に包み込まれてしまうことを嫌う場合には、動物の頭部のみを本体部１０から露出させた状態で使用してもよい。この場合であっても、水の飛散量は大きく低減できる。
【実施例２】
【００１８】
図３に、実施例２に係る動物用タオルＡの概略図を示す。
本実施例に係るタオルＡは、本体部１０が、予め区画された底部１２と、底部１２の周囲に側部１３とによって構成されている。
本実施例によれば、予め区画してある底部１２が、タオルＡの設置時や、動物を置く位置の目印となる点で利便性の向上に繋がる。
また、本体部１０の形状が安定するため、本体部１０の展開動作によって、動物の脚が持ち上げられることもなく、動物が驚くことも少なくなる。
【実施例３】
【００１９】
図４に、実施例３に係る動物用タオルＡの概略図を示す。
本発明では、本体部１０が上下に開口部１１を有する筒状を呈するものとしてもよい。
図４（ａ）は、両方の開口部１１に閉塞部２０を設けた構成である。
下側の開口部１１を予め閉塞しておけば、先の実施例１と同様の使い方が可能である。
図４（ｂ）は、上側の開口部１１にのみ、閉塞部２０を設けた構成である。
下側の開口部１１は開いたまま使用することになるため、バスマットなどの上に本実施例のタオルＡを敷いた状態で使用すれば、先の実施例１と同様の使い方が可能である。
図４（ｃ）は、下側の開口部１１にのみ、閉塞部２０を設けた構成である。
上側の開口部１１は、飼い主が手で巾着状に閉塞することができれば、使用に大きな支障はない。
図４（ｄ）は、上下の開口部１１の何れにも閉塞部２０を設けない構成である。
先の図４（ｂ）や図４（ｃ）のように使用すれば、使用に大きな支障は無い。また、両方の開口部１１を閉塞させずに使用したとしても、動物の側周を覆うことが出来る点で、水の飛散量は大きく低減できる。
【実施例４】
【００２０】
図５に、実施例４に係る動物用タオルＡの概略図を示す。
本発明では、本体部１０に窓部１４を形成してもよい。
窓部１４は、本体部１０を切り抜いた箇所に透明または半透明のプラスチックシートを取り付けるなどの方法で形成することができる。
窓部１４の位置、数は適宜決定すればよい。
動物の性格によっては、本体部１０の内部が暗闇になったり、飼い主の姿が見えなくなったりすることで不安を感じる場合が考えられる。この場合であっても、窓部１４でもって光を導入したり、飼い主の姿が見えるようにしたりすることで、動物に安心感を与えることができる。
【符号の説明】
【００２１】
Ａ    タオル
１０  本体部
１１  開口部
１２  底部
１３  側部
１４  窓部
２０  閉塞部
Ｂ    洗い場
【図１】
0003220750.tif 000003
【図２】
0003220750.tif 000004
【図３】
0003220750.tif 000005
【図４】
0003220750.tif 000006
【図５】
0003220750.tif 000007
【手続補正書】
【提出日】平成30年11月28日(2018.11.28)
【手続補正１】
【補正対象書類名】実用新案登録請求の範囲
【補正対象項目名】全文
【補正方法】変更
【補正の内容】
【実用新案登録請求の範囲】
【請求項１】
可撓性及び吸水性を備え、動物の収容空間を形成する、袋状、箱状または筒状の本体部を少なくとも有することを特徴とする、
動物用タオル。
【請求項２】
前記本体部が、開口部を上方に有する袋状を呈していることを特徴とする、
請求項１に記載の動物用タオル。
【請求項３】
前記本体部に、予め区画された底部を設けてあることを特徴とする、
請求項１または２に記載の動物用タオル。
【請求項４】
前記本体部が、開口部を上下に有する筒状を呈していることを特徴とする、
請求項１に記載の動物用タオル。
【請求項５】
前記開口部を閉塞するための閉塞部を更に有することを特徴とする、
請求項１乃至４のうち何れか１項に記載の動物用タオル。
【請求項６】
前記閉塞部が、本体部に形成した巾着型の絞り紐であることを特徴とする、
請求項５に記載の動物用タオル。
【請求項７】
前記本体部に、窓部を設けてあることを特徴とする、
請求項１乃至６のうち何れか１項に記載の動物用タオル。
【請求項８】
前記本体部の一部または全部を、マイクロファイバーで構成してあることを特徴とする、
請求項１乃至７のうち何れか１項に記載の動物用タオル。
【手続補正２】
【補正対象書類名】明細書
【補正対象項目名】０００７
【補正方法】変更
【補正の内容】
【０００７】
本考案に係る動物用タオルは、可撓性及び吸水性を備え、動物の収容空間を形成する、袋状、箱状または筒状の本体部を少なくとも有することを特徴とする。
また、前記本体部を、開口部を上方に有する袋状とすることができる。
また、前記本体部に、予め区画された底部を設けておくことができる。
また、前記本体部を、開口部を上下に有する筒状とすることができる。
また、前記開口部を閉塞するための閉塞部を更に設けても良い。
また、前記閉塞部が、本体部に形成した巾着型の絞り紐で構成してもよい。
また、前記本体部に、窓部を設けてもよい。
また、前記本体部の一部または全部を、マイクロファイバーで構成してもよい。
【手続補正書】
【提出日】平成31年1月29日(2019.1.29)
【手続補正１】
【補正対象書類名】実用新案登録請求の範囲
【補正対象項目名】全文
【補正方法】変更
【補正の内容】
【実用新案登録請求の範囲】
【請求項１】
可撓性及び吸水性を備え、動物の収容空間を形成する、袋状、箱状または筒状の本体部を少なくとも有することを特徴とする、
動物用タオル。
【請求項２】
前記本体部が、開口部を上方に有する袋状を呈していることを特徴とする、
請求項１に記載の動物用タオル。
【請求項３】
前記本体部に、予め区画された底部を設けてあることを特徴とする、
請求項１または２に記載の動物用タオル。
【請求項４】
前記本体部が、開口部を上下に有する筒状を呈していることを特徴とする、
請求項１に記載の動物用タオル。
【請求項５】
前記開口部を閉塞するための閉塞部を更に有することを特徴とする、
請求項２または４に記載の動物用タオル。
【請求項６】
前記閉塞部が、本体部に形成した巾着型の絞り紐であることを特徴とする、
請求項５に記載の動物用タオル。
【請求項７】
前記本体部に、窓部を設けてあることを特徴とする、
請求項１乃至６のうち何れか１項に記載の動物用タオル。
【請求項８】
前記本体部の一部または全部を、マイクロファイバーで構成してあることを特徴とする、
請求項１乃至７のうち何れか１項に記載の動物用タオル。